(57)【要約】【課題】通気空間の燃焼室側に発生した火炎が一次空気室側に移り、故障の原因となる虞がある。【解決手段】本体ケース内にバーナとファンを備え、バーナで燃料ガスを燃焼させて生成される燃焼排気をファンによって空気とともに温風として室内に放出する暖房装置において、該バーナは燃料を燃焼させる燃焼部とその燃焼部に燃料を供給する供給経路を備え、本体ケースは前記供給経路の入口部を収容する一次空気室と前記燃焼部を収容する燃焼室とに区画され、前記一次空気室と燃焼室とは夫々空気取入口を備え、空気取入口の外側に、一次空気室及び燃焼室への塵芥等の進入を防止するフィルタを、空気取入口との間に通気空間を形成させて備え、前記通気空間内に、該通気空間を一次空気室側と燃焼室側とに区画する区画壁を設ける。【選択図】図１
2010175153.tif 000002
【特許請求の範囲】
【請求項１】
本体ケース内にバーナとファンを備える暖房装置であって、
該バーナは燃料を燃焼させる燃焼部とその燃焼部に燃料を供給する供給経路を備え、
本体ケースは前記供給経路の入口部を収容する一次空気室と前記燃焼部を収容する燃焼室とに区画され、前記一次空気室と燃焼室とは夫々空気取入口を備え、
空気取入口の外側に、一次空気室及び燃焼室への塵芥等の進入を防止するフィルタを、空気取入口との間に通気空間を形成させて備え、
前記通気空間内に、該通気空間を一次空気室側と燃焼室側とに区画する区画壁を設けたことを特徴とする暖房装置。
【請求項２】
区画壁が通気性を備えることを特徴とする請求項１の暖房装置。
【請求項３】
本体ケース側とフィルタ側の少なくとも一方に、区画壁を位置決めするガイドを設けたことを特徴とする請求項１又は請求項２の暖房装置。
【発明の詳細な説明】
【技術分野】
【０００１】
本発明は、燃料ガスを燃焼して生成される燃焼排気を空気と混合させて温風として放出する暖房装置に関する。
【背景技術】
【０００２】
特許文献１は暖房装置を開示している。この種の暖房装置は、本体ケース内にバーナ及びファンを備え、バーナで燃料ガスを燃焼させて生成される燃焼排気を、ファンによって空気とともに温風として室内に放出する。
【０００３】
前記バーナは、火炎を形成して暖房用の燃焼排気を生成する燃焼部と、該燃焼部に燃料及び燃焼用一次空気を混合させて供給する供給経路とを備えてなる。前記本体ケース内は、前記バーナの供給経路の入口部を収容する一次空気室と、前記燃焼部を収容する燃焼室に区画されている。一次空気室には、供給経路の入口部の他にもファンの回転駆動源となるファンモータ、燃料ガスを供給経路の入口部に供給するノズル、その他制御装置類が収容されている。燃焼室には、前記バーナの燃焼部の他にもファンが収容され、温風吹出口が設けられている。
【０００４】
前記一次空気室には、外部から燃焼用一次空気を取り入れるための空気取入口（一次空気取入口）が開口されている。また、前記燃焼室にも、外部から燃焼用二次空気及び調温用空気を取り入れるための空気取入口（二次空気取入口）が開口されている。前記一次空気取入口及び二次空気取入口は、本体ケースの背面のうち一次空気室に対応する箇所と燃焼室に対応する箇所とに夫々通孔を複数開口させて形成されている。
【０００５】
一次空気取入口と二次空気取入口の外側には、一次空気室及び燃焼室への塵芥等の進入を防止するためのフィルタが備えられている。該フィルタは一次空気取入口と二次空気取入口の双方をカバー可能である。このとき、フィルタを本体ケース背面に密着させて一次空気取入口及び二次空気取入口を被覆するように備えてしまうと、フィルタのうち、一次空気取入口及び二次空気取入口を形成する各通孔の間の部分を被覆する箇所が機能しなくなり、フィルタの目詰まりが早くなるという不都合が生じる。そのため、従来フィルタは、その全面の集塵機能を確保するべく、一次空気取入口及び二次空気取入口から離間させた位置に備えられ、フィルタとの間に通気空間が形成されるように本体ケース背面に備え付けられている。
【０００６】
この暖房装置では、供給経路を通って燃料ガスと燃焼用一次空気とが混合されて燃焼部に供給され、該混合された燃料ガスと燃焼用一次空気を、燃焼用二次空気を用いて燃焼室内で燃焼させることによって燃焼排気が生成され、その燃焼排気がファンの回転によって調温用空気と混合されて温風として温風吹出口より放出される。
【先行技術文献】
【特許文献】
【０００７】
【特許文献１】特開平１−２００１５１号公報
【発明の概要】
【発明が解決しようとする課題】
【０００８】
しかしながら、上記従来の暖房装置では、発火物質を含むスプレー（殺虫剤等）を誤って本体ケースの背面に向けて噴射してしまった場合など、通気空間内に発火物質が入り込んでしまうことがある。その場合、本来燃焼室内のみで形成されるはずのバーナの火炎が、二次空気取入口を通じて通気空間内の発火物質に引火し、通気空間内に火炎が発生・保持されてしまうことがある。このように通気空間内に発生した火炎が一次空気室方面に延焼すると、一次空気室内に収容されている制御装置等の各部品の故障の原因になる虞がある。
本発明は、前記事情に鑑みてなされたものであり、通気空間の燃焼室側に発生した火炎が一次空気室側に移ることを防止できる暖房装置を提供することを目的とする。
【課題を解決するための手段】
【０００９】
本発明の暖房装置は、本体ケース内にバーナとファンを備える暖房装置として具現化される。該バーナは燃料を燃焼させる燃焼部とその燃焼部に燃料を供給する供給経路を備える。本体ケースは前記供給経路の入口部を収容する一次空気室と前記燃焼部を収容する燃焼室とに区画され、前記一次空気室と燃焼室とは夫々空気取入口を備える。空気取入口の外側に、一次空気室及び燃焼室への塵芥等の進入を防止するフィルタを備える。フィルタと空気取入口との間には通気空間が形成されている。前記通気空間内に、該通気空間を一次空気室側と燃焼室側とに区画する区画壁を設けた。
【００１０】
この暖房装置は、通気空間内に該通気空間を一次空気室側と燃焼室側とに区画する区画壁を設けている。従って、通気空間の燃焼室側に偶発的に火炎が発生したとしても、その火炎の一次空気室側への延焼を区画壁によって防ぐことができる。そのため、一次空気室内の制御装置類等の各部品の故障を未然に防ぐことができる。
【００１１】
この暖房装置においては、区画壁が通気性を備えることが好ましい。
【００１２】
区画壁が通気性を備えるので、通気空間の一次空気室側と燃焼室側との間で相互に通気が可能である。そのため、例えばフィルタの一部分が何らかの要因で閉塞された場合であっても、一次空気室と燃焼室の双方に空気を供給し続けることができ、暖房装置の運転に支障を来す事がない。
また、この場合も、燃焼室側に発生した火炎は区画壁によって阻まれて一次空気室側に移ることはなく、一時空気室内の安全は確保される。
【００１３】
本体ケース側とフィルタ側の少なくとも一方に、区画壁を位置決めするガイドを設けることが好ましい。
【００１４】
区画壁位置決め用のガイドを備えることで、区画壁を位置ずれなく設置できる。また、通気空間を隙間無く区画でき、通気空間の燃焼室側に発生した火炎が一次空気室側に移ることを確実に防止できるようになる。暖房装置使用中に区画壁がズレたりバタついたりすることもなくなり、長期間使用した場合であっても火炎遮断機能が低下しにくくなる。
【発明の効果】
【００１５】
本発明によると、通気空間の燃焼室側に偶発的に発生した火炎が一次空気室側に燃え移ることを防止できる暖房装置を提供することができる。
【図面の簡単な説明】
【００１６】
【図１】暖房装置の本体ケースの前面板を取り外した状態を模式的に示した正面図。
【図２】暖房装置を図１のＡ−Ａ位置の断面で示した断面図。
【図３】暖房装置の背面図。
【図４】暖房装置背面に備えられるフィルタユニットを示す斜視図。
【図５】区画壁の位置決め構造を示す断面説明図。
【図６】区画壁の他の例を示す斜視図（第２実施例）。
【図７】区画壁の他の例を示す斜視図（第３実施例）。
【発明を実施するための形態】
【００１７】
以下に説明する実施例の技術的特徴を列挙する。
（形態１）  本実施例の暖房装置はいわゆるガスファンヒータである。
（形態２）  フィルタユニットは、網状のフィルタと該フィルタを囲繞する枠体とを一体成形してなる。該フィルタユニットは、本体ケース背面に着脱自在とされる。
（形態３）  フィルタユニットを本体ケース背面に取り付けると、フィルタは本体ケースの背面から離間させて備えられ、フィルタと一次空気取入口及び二次空気取入口との間に通気空間が形成される。
（形態４）  通気空間を区画する区画壁は、フィルタユニットと一体成形されている。
（形態５）  区画壁は、通気性の無い板状の仕切り部材である。
（形態６）  区画壁は、通気性のある部材、例えば通気孔を設けた板材や網状部材で構成することもできる。その場合も区画壁は火炎を通過させないものとする。
（形態７）  本体ケースの背面に区画壁を嵌入可能なガイド溝を備えたガイドレールを設け、区画壁はそのガイド溝に嵌入されて位置決めされて備えられる。
【実施例】
【００１８】
（第１実施例）  本発明の暖房装置の第１実施例について説明する。
本実施例の暖房装置はいわゆるガスファンヒータである。この暖房装置は、図１、図２に示すように、本体ケース１内にバーナ２及びファン３を備える。前記図１は、本体ケース１の前面板１ａを取り外した状態を模式的に示した正面図である。図１に示すように、本体ケース１の内部は一次空気室４と燃焼室５を備える。一次空気室４と燃焼室５とは、燃焼室５の側壁５ａ、５ｂ、上壁５ｃによって区画されている。
【００１９】
図１に示すように、一次空気室４内には前記バーナ２の供給経路１０が燃焼室５から延出されており、その端部の入口部１１が収容されている。該供給経路１０は入口部１１から供給された燃料ガス及び燃焼用一次空気を混合して、燃焼室５内に収容されている燃焼部１２に送り出す管路である。
一次空気室４内にはバルブユニット１３が設けられている。該バルブユニット１３には、燃料ガス供給管１４と、燃料ガス供給管１４から供給された燃料ガスを噴出するためのノズル１５が設けられている。ノズル１５の噴出口は、供給経路１０の入口部１１に対向させて設けられている。また、一次空気室４の背面下部には、図１、図３に示すようにガスホース接続口１６が設けられ、外部から一次空気室４内に燃料ガスを供給し、その燃料ガスを図示しない連絡管を通じてバルブユニット１３に供給できるようにしている。
ガスホース接続口１６からガスホースを通ってバルブユニット１３に供給された燃料ガスは、燃料ガス供給管１４を通ってノズル１５から供給経路１０の入口部１１に向けて噴出される。ノズル１５から燃料ガスが噴出されると、その燃料ガス流に伴って周囲に負圧が発生し、燃料ガスとともに周囲の空気が入口部１１から燃料用一次空気として吸引されて供給経路１０に送り込まれ、燃料ガスと混合される。混合された燃料ガスと燃料用一次空気は供給経路１０を通って燃焼部１２へ送られる。
一次空気室４内には、暖房運転制御用の制御装置１７、前記ファン３の回転駆動源であるファンモータ１８も収容されている。
【００２０】
また、図３に示すように、本体ケース１背面の一次空気室４に対応する箇所には、外部から燃焼用一次空気を一次空気室４内に取り入れるための空気取入口（以下「一次空気取入口１９」とする。）が形成されている。一次空気取入口１９は、図３に示すように、細長の通孔１９ａを複数開口して設けられている。
【００２１】
前記燃焼室５内には、図１に示すように、バーナ２の燃焼部１２が収容されている。該燃焼部１２は、燃焼用二次空気を用いて、前記供給経路１０から供給される燃料ガスを燃焼させ、火炎を形成して燃焼排気を生成する。
更に、燃焼室５の下方前面には温風吹出口２０が形成され、その後方にファン３が設けられている。該ファン３はラインフローファンであり、その回転により、バーナ２の燃焼部１２で生成された燃焼排気と、燃焼室５内に取り込まれた調温用空気とを混合させて、暖房用温風として温風吹出口２０から送り出す。
また、図３に示すように、本体ケース１背面の燃焼室５に対応する箇所には、燃焼部１２で燃料ガスを燃焼させる際に用いる燃焼用二次空気と、燃焼排気と混合させて暖房用温風を生成するための調温用空気とを燃焼室５内に取り入れるための空気取入口（以下「二次空気取入口２１」とする。）が形成されている。二次空気取入口２１も、図３に示すように、細長の通孔２１ａを複数開口して設けられている。
燃焼室５内で前記ファン３を回転させることによって二次空気取入口２１から外の空気が燃焼室５内に取り入れられ、取り入れられた空気が前記燃焼用二次空気又は調温用空気として利用される。
【００２２】
本体ケース１背面には、図２、図３に示すように、フィルタユニット２２が着脱自在に備えられている。前記フィルタユニット２２は、図４に示すように、網状のフィルタ２３と、該フィルタ２３を囲繞する枠体２４と、仕切り部材である区画壁３０を難燃性素材によって一体成形してなる。このフィルタユニット２２によれば、図３のように一つのフィルタユニット２２によって一次空気取入口１９及び二次空気取入口２１を同時にカバーできる。
【００２３】
前記フィルタ２３は、空気を通過可能且つ塵芥を集着可能な粗さの網目を有する網状に形成される部分である。該フィルタ２３の部分は、図３、４に示すように、このフィルタユニット２２では左右二箇所に設けられている。フィルタ２３は、図４に示すように、中央部分が外側に膨らむように段差を設けて形成されている。この段差により、フィルタユニット２２を本体ケース１の背面板１ｂに取り付けたときにフィルタ２３と一次空気取入口１９及び二次空気取入口２１との間に通気空間２５が形成される。フィルタ２３を本体ケース１の背面板１ｂに密着させることなく本体背面に備えることができ、フィルタ２３全面の集塵機能を確保できる。
【００２４】
前記枠体２４は、フィルタ２３を囲繞する枠状部材であって、留め具２６によって本体ケース１の背面板１ｂに自在に着脱可能とされている部材である。図４に示すように、枠体２４の上部には把持部２７が形成され、上部両端には前記留め具２６を挿通させるための留め具孔２８が形成されている。枠体２４の幅方向中央には、上枠部２４ａから下枠部２４ｂの間に上下方向に中央仕切り２４ｃが形成され、左右二つのフィルタ部分２３を区画している。
【００２５】
図４、図５に示すように、枠体２４の内側には、板状の仕切り部材である前記区画壁３０が形成されている。区画壁３０は、図３に示すように、フィルタユニット２２を本体ケース１の背面に取付けたときに、一次空気取入口１９と二次空気取入口２１の間に配置される位置に形成されている。本実施例の区画壁３０は、図５に示すように断面Ｔ字型に形成されている。図４に示すように、区画壁３０は枠体２４の上枠部２４ａから下枠部２４ｂの間に上下方向に帯状に形成された基部３１から前方へ垂直に突出するように形成されている。
区画壁３０は、図３、図５に示すように、フィルタユニット２２を本体に取り付けると、本体ケース１の背面に設けられたガイドレール４０のガイド溝４１に嵌入されて位置決めされ、通気空間２５内を一次空気室側２５ａと燃焼室側２５ｂとに区画する。
なお、前記基部３１は、フィルタユニット２２成形時に区画壁３０とともに成形される部分であり、区画壁３０とともに火炎を遮断する機能を果たす。本実施例の区画壁３０では、基部３１を省略して形成することも可能である。
【００２６】
前記ガイドレール４０は、図５に示すような断面略Ｌ字状のレール部材である。該ガイドレール４０は、区画壁３０を嵌入して位置決め可能なガイド溝４１と、ガイドレール４０を本体ケース１に固定するための固定部４２とを備える。このガイドレール４０は、図３に示すように、本体ケース１の背面板１ｂのうち、一次空気取入口１９と二次空気取入口２１の間の部分に上下方向に配置され、前記固定部４２をビス４３で固定して、ガイド溝４１が外側に向くようにして設けられている。
【００２７】
上記のように、通気空間２５内は、区画壁３０によって一次空気室側２５ａと燃焼室側２５ｂとに区画される。これにより、通気空間２５の燃焼室側２５ｂに発生した火炎が、区画壁３０によって遮られて一次空気室側２５ａに延焼することを防止することができる。更に、ガイドレール４０によって区画壁３０が位置決めされるので、区画壁３０の設置時に位置ズレすることもなく、確実に通気空間２５が区画される。また、暖房装置使用中に区画壁３０がズレたりバタついたりすることもなくなり、長期間使用した場合であっても火炎遮断機能が低下しにくくなる。なお、本実施例の区画壁３０は通気性を備えないため、本実施例では通気空間２５の一次空気室側２５ａと燃焼室側２５ｂとの間で空気が行き来することはない。
【００２８】
（第２実施例）  本発明の暖房装置の第２実施例について説明する。
本実施例の暖房装置も基本的構成は前記第１実施例記載のものと共通するが、区画壁が通気性を備える点で第１実施例とは異なる。本実施例の区画壁５０は、図６に示すように、第１実施例記載のものと同様の区画壁５０に、通気孔５２を複数個開口したものである。この場合、区画壁５０は火炎を通過させずに空気のみを通過させる構成とする必要がある。そのため、小径の孔は通過できないという炎の性質を利用して、通気孔５２は火炎が通過できない小径に形成する。なお、基部５１には通気孔は設けられていない。
本実施例では、区画壁５０が通気性を備えるので、例えばフィルタ２３の一部分がなんらかの要因で閉塞された場合であっても、一次空気室と燃焼室の双方に空気を供給し続けることができる。尤もこの場合も、通気空間２５の燃焼室側２５ｂ内に発生した火炎は区画壁５０によって阻まれて一次空気室側２５ａに移ることはなく、一時空気室４内の安全は確保される。
【００２９】
（第３実施例）  通気性を備える区画壁は、図７に示すように区画壁６０自体を難燃素材製の網材として構成することもできる。この場合も、区画壁６０に用いる網材には、火炎が通過できないような目の細かい網材を用いる必要がある。なお、図７では基部６１は網材としていないが、基部６１も網材として成形することもできる。
【００３０】
（その他の実施例）  以下、本発明のその他の実施例について説明する。
区画壁は、前記各実施例のように、フィルタユニットの枠体に一体成形した構成には限られない。区画壁は、本体ケースの背面板と一体に形成することも可能である。その場合、区画壁を位置決めするガイドはフィルタユニット側に設けることができる。
また、区画壁は、本体ケース及びフィルタユニットと別体に形成して、使用時に本体ケース及びフィルタユニットに取付けられるようにすることもできる。
【００３１】
通気性を備える構成の区画壁は、炎を遮断可能であれば、上記第２、第３実施例で説明したものに限られず任意の構成とすることができる。
【００３２】
区画壁を位置決めするガイドは、前記図３、図５に示すようなガイドレール４０には限られず、通気空間内に備える区画壁の位置決めが可能であれば、区画壁の構成に応じて適した任意の構成とすることができる。従って例えば、本体ケースの背面に、区画壁を嵌入して保持、位置決め可能な保持部分を備えるガイド爪を間隔をあけて複数備えること等も可能である。
【００３３】
また、区画壁位置決め用のガイドは省略することも可能である。もっともその場合には、使用中に位置ずれしたりばたついたりしないように区画壁を構成する必要がある。
【００３４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【産業上の利用可能性】
【００３５】
本発明の技術的特徴である区画壁は、ガスファンヒータに限らず、石油ファンヒータに適用することもできる。
【符号の説明】
【００３６】
１  本体ケース
２  バーナ
３  ファン
４  一次空気室
５  燃焼室
１０  供給経路
１１  入口部
１２  燃焼部
１９  一次空気取入口
２０  温風吹出口
２１  二次空気取入口
２２  フィルタユニット
２３  フィルタ
２４  枠体
２５  通気空間
２５ａ一次空気室側
２５ｂ  燃焼室側
３０  区画壁
３１  基部
４０  ガイドレール
４１  ガイド溝
４２  固定部
５０  区画壁（第２実施例）
６０  区画壁（第３実施例）
【図１】
2010175153.tif 000003
【図２】
2010175153.tif 000004
【図３】
2010175153.tif 000005
【図４】
2010175153.tif 000006
【図５】
2010175153.tif 000007
【図６】
2010175153.tif 000008
【図７】
2010175153.tif 000009